(57)【特許請求の範囲】
【請求項１】
上部が開口し、断面略凹型に形成された水槽部を有する本体水槽トレイと、
この本体水槽トレイの外周に沿って配置されるとともに、上部が開口し、断面略凹型に形成された貯水槽と、
前記本体水槽トレイと貯水槽との間で水を循環させる水循環手段と、を備えており、
前記水槽部の水位は、前記貯水槽の水位よりも高く設定されており、
前記貯水槽には、前記水槽部へと水を供給するポンプが設置されており、
前記水循環手段は、前記ポンプによって前記貯水槽から前記水槽部へと水を供給し、前記水槽部からのオーバーフロー水を前記貯水槽へと返還する構成となっており、前記水槽部と前記貯水槽とに亘って形成されるとともに、前記水槽部からのオーバーフロー水が流れる流水面部を有し、
前記流水面部の上面に、この流水面部を緑化するための緑化マットが敷設されていることを特徴とするビオトープ装置。
【請求項２】
上部が開口し、断面略凹型に形成された水槽部を有する本体水槽トレイと、
この本体水槽トレイの外周に沿って配置されるとともに、上部が開口し、断面略凹型に形成された貯水槽と、
前記本体水槽トレイと貯水槽との間で水を循環させる水循環手段と、を備えており、
前記水槽部の水位は、前記貯水槽の水位よりも高く設定されており、
前記貯水槽には、前記水槽部へと水を供給するポンプが設置されており、
前記水循環手段は、前記ポンプによって前記貯水槽から前記水槽部へと水を供給し、前記水槽部からのオーバーフロー水を前記貯水槽へと返還する構成となっており、前記水槽部と前記貯水槽とに亘って形成されるとともに、前記水槽部からのオーバーフロー水が流れる流水面部を有し、
前記流水面部の上面に砂利が敷設されていることを特徴とするビオトープ装置。
【請求項３】
上部が開口し、断面略凹型に形成された水槽部を有する本体水槽トレイと、
この本体水槽トレイの外周に沿って配置されるとともに、上部が開口し、断面略凹型に形成された貯水槽と、
前記本体水槽トレイと貯水槽との間で水を循環させる水循環手段と、を備えており、
前記水槽部の水位は、前記貯水槽の水位よりも高く設定されており、
前記貯水槽には、前記水槽部へと水を供給するポンプが設置されており、
前記水循環手段は、前記ポンプによって前記貯水槽から前記水槽部へと水を供給し、前記水槽部からのオーバーフロー水を前記貯水槽へと返還する構成となっており、前記水槽部と前記貯水槽とに亘って形成されるとともに、前記水槽部からのオーバーフロー水が流れる流水面部を有し、
前記流水面部の上面に保水タイルが取り付けられていることを特徴とするビオトープ装置。
【請求項４】
請求項１〜３のいずれか一項に記載のビオトープ装置において、
前記貯水槽は、前記流水面部の下方に配置されており、この貯水槽の上部開口の一部が前記流水面部によって覆われており、
前記流水面部の外側端部と、前記貯水槽の外側の槽壁との間には、前記貯水槽の上部開口と連続する隙間が形成されていることを特徴とするビオトープ装置。
【請求項５】
請求項１〜４のいずれか一項に記載のビオトープ装置において、
前記流水面部には、この流水面部を厚さ方向に貫通する複数の貫通孔が形成されていることを特徴とするビオトープ装置。
【請求項６】
請求項４または５に記載のビオトープ装置において、
前記本体水槽トレイおよび貯水槽の外周には、前記水槽部の外側面および貯水槽を目隠しするための枠体が設けられており、
この枠体は、前記貯水槽側に突出するとともに、この枠体の長さ方向に沿って長尺に形成された突出部を備えており、
この突出部によって、前記流水面部の外側端部と、前記貯水槽の外側の槽壁との間に形成された前記隙間が覆われていることを特徴とするビオトープ装置。
【発明の詳細な説明】
【技術分野】
【０００１】
本発明は、住宅等の建物の屋上や庭、ベランダ、バルコニー等に設置可能なビオトープ装置に関する。
【背景技術】
【０００２】
近年、都市部において深刻化するヒートアイランド現象の緩和や、都市環境の改善、身近な緑空間の創出などを目的として、建物の屋上や庭、ベランダ、バルコニー等の緑化へのニーズが増大している。
かかる緑化に際しては、単に樹木や草花などの植物を植えるばかりではなく、積極的に植栽部分と水域部分とを併せ持ち、昆虫や小魚などの小動物が生息する環境を復元または創造することを目的として、いわゆるビオトープの創出が行われている（例えば、特許文献１，２参照）。
【先行技術文献】
【特許文献】
【０００３】
【特許文献１】特開２００５−３０８９２７号公報
【特許文献２】特許第３８６４３７５号公報
【発明の概要】
【発明が解決しようとする課題】
【０００４】
ところが、特許文献１に記載のビオトープは、規模が大きく、そもそも施工されるシステムに水を多く含んでいるので、このビオトープを屋上や庭、ベランダ、バルコニー等に適用した場合、ビオトープを設置するための広い空間が必要となる。また、屋上やベランダ、バルコニーには多大な積載荷重がかかることにもなる。したがって、このような規模の大きいビオトープを住宅等の建物に導入することは実際には困難である。
また、特許文献２に記載のビオトープは、池用のコンテナ状容器と植栽用のコンテナ状容器とを連結して構成されたものであるため規模が小さく、建物の屋上等に簡易に設置できる。しかし、設備工事にかかる費用を削減するために、水を循環させるような手段を導入していないため、容器内に貯められた水にアオコなどの藻が繁殖し、溶存酸素濃度の低下によって生物が生存できない状態となってしまう場合がある。これを防ぐためには日々水の入れ替えを行うなどしてメンテナンスを行う必要があり、その手間やコストを考慮すると、ビオトープを住宅等の建物に導入することは困難である。
【０００５】
本発明の課題は、小型化を実現できるとともに、メンテナンスに係る手間やコストを低減し、建物への導入を容易に行うことが可能なビオトープ装置を提供することを目的とする。
【課題を解決するための手段】
【０００６】
請求項１に記載の発明は、ビオトープ装置であって、例えば図１〜図１３に示すように、上部が開口し、断面略凹型に形成された水槽部１１（５１，６１，８１，１２１）を有する本体水槽トレイ１０（５０，６０，８０，１２０）と、
この本体水槽トレイ１０（５０，６０，８０，１２０）の外周に沿って配置されるとともに、上部が開口し、断面略凹型に形成された貯水槽２０（４１，５４，７０，９０，１３０）と、
前記本体水槽トレイ１０（５０，６０，８０，１２０）と貯水槽２０（４１，５４，７０，９０，１３０）との間で水を循環させる水循環手段と、を備えており、
前記水槽部１１（５１，６１，８１，１２１）の水位は、前記貯水槽２０（４１，５４，７０，９０，１３０）の水位よりも高く設定されており、
前記貯水槽２０（４１，５４，７０，９０，１３０）には、前記水槽部１１（５１，６１，８１，１２１）へと水を供給するポンプ４が設置されており、
前記水循環手段は、前記ポンプ４によって前記貯水槽２０（４１，５４，７０，９０，１３０）から前記水槽部１１（５１，６１，８１，１２１）へと水を供給し、前記水槽部１１（５１，６１，８１，１２１）からのオーバーフロー水を前記貯水槽２０（４１，５４，７０，９０，１３０）へと返還する構成となっており、前記水槽部１１（５１，６１，８１，１２１）と前記貯水槽２０（４１，５４，７０，９０，１３０）とに亘って形成されるとともに、前記水槽部１１（５１，６１，８１，１２１）からのオーバーフロー水が流れる流水面部（例えば延出片１２，５２，６２，８２，１２２、蓋材１１０，１５０）を有し、
前記流水面部（例えば延出片１２，５２，６２，８２，１２２、蓋材１１０，１５０）の上面に、この流水面部を緑化するための緑化マット３が敷設されていることを特徴とする。
【０００７】
請求項１に記載の発明によれば、前記本体水槽トレイ１０（５０，６０，８０，１２０）の水槽部１１（５１，６１，８１，１２１）に動植物（例えば、水生植物１）の生息空間を形成できるので、前記水槽部１１（５１，６１，８１，１２１）を、池や川等のような貯水環境として利用できる。したがって、ビオトープの小型化を実現できることになる。
また、前記本体水槽トレイ１０（５０，６０，８０，１２０）と貯水槽２０（４１，５４，７０，９０，１３０）とが別体に構成されているので、貯水槽２０（４１，５４，７０，９０，１３０）で、前記水槽部１１（５１，６１，８１，１２１）に供給する水道水のカルキ抜きや、貯留した水の水質の調整等を行うことができる。
さらに、前記水循環手段によって、前記本体水槽トレイ１０（５０，６０，８０，１２０）と貯水槽２０（４１，５４，７０，９０，１３０）との間で水を循環させるので、例えば前記水槽部１１（５１，６１，８１，１２１）にアオコやアオミドロ等の藻が繁殖したり、淀みが生じたりすることを抑制できる。したがって、例えば水循環手段等を持たないビオトープ装置に比して、メンテナンスに係る手間やコストを確実に低減させることができる。
また、水循環手段による水の循環は、前記ポンプ４によって前記貯水槽２０（４１，５４，７０，９０，１３０）から前記水槽部１１（５１，６１，８１，１２１）へと水を供給し、前記水槽部１１（５１，６１，８１，１２１）からのオーバーフロー水を前記貯水槽２０（４１，５４，７０，９０，１３０）へと返還することによって行われるので、前記ポンプ４によって前記水槽部１１（５１，６１，８１，１２１）に水を供給するだけで、前記水槽部１１（５１，６１，８１，１２１）と貯水槽２０（４１，５４，７０，９０，１３０）との間で容易に水を循環させることができる。
これによって、ビオトープ装置を、建物に容易に導入することができるので、このビオトープ装置が設置される建物の緑化が可能となり、ヒートアイランド現象の緩和や都市環境の改善、ＣＯ２排出量の削減等に貢献できる。
前記水循環手段は、前記水槽部１１（５１，６１，８１，１２１）と前記貯水槽２０（４１，５４，７０，９０，１３０）とに亘って形成されるとともに、前記水槽部１１（５１，６１，８１，１２１）からのオーバーフロー水が流れる流水面部（例えば延出片１２，５２，６２，８２，１２２、蓋材１１０，１５０）を有しているので、この流水面部を通じて前記水槽部１１（５１，６１，８１，１２１）から前記貯水槽２０（４１，５４，７０，９０，１３０）に向かって、オーバーフロー水を確実に返還できる。
また、この流水面部の上面で、例えば植物を植栽したり、水辺環境を形成したりすることができる。これによって、より変化に富んだ環境のビオトープ装置の小型化を実現することができる。
前記流水面部（例えば延出片１２，５２，６２，８２，１２２、蓋材１１０，１５０）の上面に、この流水面部を緑化するための緑化マット３が敷設されているので、この緑化マット３が敷設された部位をビオトープ装置における水辺・陸地環境として利用できる。これによって、より変化に富んだ環境のビオトープ装置の小型化を実現することができる。
【００１２】
請求項２に記載の発明は、例えば図１に示すように、上部が開口し、断面略凹型に形成された水槽部１１（５１，６１，８１，１２１）を有する本体水槽トレイ１０（５０，６０，８０，１２０）と、この本体水槽トレイ１０（５０，６０，８０，１２０）の外周に沿って配置されるとともに、上部が開口し、断面略凹型に形成された貯水槽２０（４１，５４，７０，９０，１３０）と、
前記本体水槽トレイ１０（５０，６０，８０，１２０）と貯水槽２０（４１，５４，７０，９０，１３０）との間で水を循環させる水循環手段と、を備えており、前記水槽部１１（５１，６１，８１，１２１）の水位は、前記貯水槽２０（４１，５４，７０，９０，１３０）の水位よりも高く設定されており、
前記貯水槽２０（４１，５４，７０，９０，１３０）には、前記水槽部１１（５１，６１，８１，１２１）へと水を供給するポンプ４が設置されており、
前記水循環手段は、前記ポンプ４によって前記貯水槽２０（４１，５４，７０，９０，１３０）から前記水槽部１１（５１，６１，８１，１２１）へと水を供給し、前記水槽部１１（５１，６１，８１，１２１）からのオーバーフロー水を前記貯水槽２０（４１，５４，７０，９０，１３０）へと返還する構成となっており、前記水槽部１１（５１，６１，８１，１２１）と前記貯水槽２０（４１，５４，７０，９０，１３０）とに亘って形成されるとともに、前記水槽部１１（５１，６１，８１，１２１）からのオーバーフロー水が流れる流水面部（例えば延出片１２，５２，６２，８２，１２２、蓋材１１０，１５０）を有し、
前記流水面部（例えば延出片１２，５２，６２，８２，１２２、蓋材１１０，１５０）の上面に砂利５が敷設されていることを特徴とする。
【００１３】
請求項２に記載の発明によれば、上部が開口し、断面略凹型に形成された水槽部１１（５１，６１，８１，１２１）を有する本体水槽トレイ１０（５０，６０，８０，１２０）と、  この本体水槽トレイ１０（５０，６０，８０，１２０）の外周に沿って配置されるとともに、上部が開口し、断面略凹型に形成された貯水槽２０（４１，５４，７０，９０，１３０）と、前記本体水槽トレイ１０（５０，６０，８０，１２０）と貯水槽２０（４１，５４，７０，９０，１３０）との間で水を循環させる水循環手段と、を備えており、前記水槽部１１（５１，６１，８１，１２１）の水位は、前記貯水槽２０（４１，５４，７０，９０，１３０）の水位よりも高く設定されており、前記貯水槽２０（４１，５４，７０，９０，１３０）には、前記水槽部１１（５１，６１，８１，１２１）へと水を供給するポンプ４が設置されており、前記水循環手段は、前記ポンプ４によって前記貯水槽２０（４１，５４，７０，９０，１３０）から前記水槽部１１（５１，６１，８１，１２１）へと水を供給し、前記水槽部１１（５１，６１，８１，１２１）からのオーバーフロー水を前記貯水槽２０（４１，５４，７０，９０，１３０）へと返還する構成となっており、前記水槽部１１（５１，６１，８１，１２１）と前記貯水槽２０（４１，５４，７０，９０，１３０）とに亘って形成されるとともに、前記水槽部１１（５１，６１，８１，１２１）からのオーバーフロー水が流れる流水面部（例えば延出片１２，５２，６２，８２，１２２、蓋材１１０，１５０）を有し、前記流水面部（例えば延出片１２，５２，６２，８２，１２２、蓋材１１０，１５０）の上面に砂利５が敷設されているので、この砂利５が敷設された部位をビオトープ装置における水辺の岩場環境として利用できる。これによって、より変化に富んだ環境のビオトープ装置の小型化を実現することができる。
【００１４】
請求項３に記載の発明は、上部が開口し、断面略凹型に形成された水槽部１１（５１，６１，８１，１２１）を有する本体水槽トレイ１０（５０，６０，８０，１２０）と、
この本体水槽トレイ１０（５０，６０，８０，１２０）の外周に沿って配置されるとともに、上部が開口し、断面略凹型に形成された貯水槽２０（４１，５４，７０，９０，１３０）と、
前記本体水槽トレイ１０（５０，６０，８０，１２０）と貯水槽２０（４１，５４，７０，９０，１３０）との間で水を循環させる水循環手段と、を備えており、
前記水槽部１１（５１，６１，８１，１２１）の水位は、前記貯水槽２０（４１，５４，７０，９０，１３０）の水位よりも高く設定されており、
前記貯水槽２０（４１，５４，７０，９０，１３０）には、前記水槽部１１（５１，６１，８１，１２１）へと水を供給するポンプ４が設置されており、
前記水循環手段は、前記ポンプ４によって前記貯水槽２０（４１，５４，７０，９０，１３０）から前記水槽部１１（５１，６１，８１，１２１）へと水を供給し、前記水槽部１１（５１，６１，８１，１２１）からのオーバーフロー水を前記貯水槽２０（４１，５４，７０，９０，１３０）へと返還する構成となっており、前記水槽部１１（５１，６１，８１，１２１）と前記貯水槽２０（４１，５４，７０，９０，１３０）とに亘って形成されるとともに、前記水槽部１１（５１，６１，８１，１２１）からのオーバーフロー水が流れる流水面部（例えば延出片１２，５２，６２，８２，１２２、蓋材１１０，１５０）を有し、
前記流水面部（例えば延出片１２，５２，６２，８２，１２２、蓋材１１０，１５０）の上面に保水タイルが取り付けられていることを特徴とする。
【００１５】
請求項３に記載の発明によれば、上部が開口し、断面略凹型に形成された水槽部１１（５１，６１，８１，１２１）を有する本体水槽トレイ１０（５０，６０，８０，１２０）と、この本体水槽トレイ１０（５０，６０，８０，１２０）の外周に沿って配置されるとともに、上部が開口し、断面略凹型に形成された貯水槽２０（４１，５４，７０，９０，１３０）と、前記本体水槽トレイ１０（５０，６０，８０，１２０）と貯水槽２０（４１，５４，７０，９０，１３０）との間で水を循環させる水循環手段と、を備えており、前記水槽部１１（５１，６１，８１，１２１）の水位は、前記貯水槽２０（４１，５４，７０，９０，１３０）の水位よりも高く設定されており、前記貯水槽２０（４１，５４，７０，９０，１３０）には、前記水槽部１１（５１，６１，８１，１２１）へと水を供給するポンプ４が設置されており、前記水循環手段は、前記ポンプ４によって前記貯水槽２０（４１，５４，７０，９０，１３０）から前記水槽部１１（５１，６１，８１，１２１）へと水を供給し、前記水槽部１１（５１，６１，８１，１２１）からのオーバーフロー水を前記貯水槽２０（４１，５４，７０，９０，１３０）へと返還する構成となっており、前記水槽部１１（５１，６１，８１，１２１）と前記貯水槽２０（４１，５４，７０，９０，１３０）とに亘って形成されるとともに、前記水槽部１１（５１，６１，８１，１２１）からのオーバーフロー水が流れる流水面部（例えば延出片１２，５２，６２，８２，１２２、蓋材１１０，１５０）を有し、前記流水面部（例えば延出片１２，５２，６２，８２，１２２、蓋材１１０，１５０）の上面に保水タイルが取り付けられているので、ビオトープ装置が設置される建物の屋上や庭、ベランダ、バルコニー等の景観に合わせて、洗練された印象の外観を備えたビオトープ装置を住宅等の建物に導入することができる。また、例えば植物の根を絡ませたり、苔等の植物を生やしたりすることで、この保水タイルの上部に植物を植栽することができる。
さらに、周囲の温度が高い時には、例えば打ち水のように、保水タイルに保水された水の気化熱や、保水タイル自体の輻射熱により、周囲の温度を低下させることができる。
【００１６】
請求項４に記載の発明は、例えば図１〜図８，図１２，図１３に示すように、請求項１〜３のいずれか一項に記載のビオトープ装置において、
前記貯水槽２０（４１，１３０）は、前記流水面部（例えば延出片１２，１２２、蓋材１５０）の下方に配置されており、この貯水槽２０（４１，１３０）上部開口の一部が前記流水面部によって覆われており、
前記流水面部の外側端部と、前記貯水槽２０（４１，１３０）の外側の槽壁２４（４３，１３２）との間には、前記貯水槽２０（４１，１３０）の上部開口と連続する隙間Ｓが形成されていることを特徴とする。
【００１７】
請求項４に記載の発明によれば、前記貯水槽２０（４１，１３０）は、前記流水面部（例えば延出片１２，１２２、蓋材１５０）の下方に配置されており、この貯水槽２０（４１，１３０）上部開口の一部が前記流水面部によって覆われているので、この流水面部を流れるオーバーフロー水を、前記隙間Ｓを通じて、前記貯水槽２０（４１，１３０）へと確実に返還しながら、前記貯水槽２０（４１，１３０）の上部開口を目隠しすることができる。また、前記隙間Ｓを細くするほど、前記貯水槽４１の上部開口をより確実に、かつ広範囲に目隠しすることができる。
さらに、この流水面部に、前記緑化マット３を敷設した場合に、前記隙間Ｓを通じて、前記緑化マット３に植栽される植物２の根２ａを、前記貯水槽４１の上部開口に向かって確実に伸長させることができるので、植物２への水やり等の手間を省略して、植物２の栽培を手間なく行うことができる。
【００１８】
請求項５に記載の発明は、例えば図９〜図１１に示すように、請求項１〜４のいずれか一項に記載のビオトープ装置において、
前記流水面部（例えば延出片５２，６２，蓋材１１０）には、この流水面部を厚さ方向に貫通する複数の貫通孔５３（６３，１１１）が形成されていることを特徴とする。
【００１９】
請求項５に記載の発明によれば、前記流水面部の外側端部と、前記貯水槽２０（４１，１３０）の外側の槽壁２４（４３，１３２）との間に隙間Ｓが形成されている場合であっても、隙間Ｓが形成されていない場合であっても、前記複数の貫通孔５３（６３，１１１）を通じて、前記緑化マット３に植栽される植物２の根２ａを、前記貯水槽５４（７０，９０）の上部開口に向かって伸長させることができる。これによって、前記緑化マット３に植栽される植物２の根２ａが、前記貯水槽５４（７０，９０）に貯留された水に、より届きやすくなる。
【００２０】
請求項６に記載の発明は、例えば図１〜図８に示すように、請求項４または５に記載のビオトープ装置において、
前記本体水槽トレイ１０および貯水槽２０（４１）の外周には、前記水槽部１１の外側面および貯水槽２０（４１）を目隠しするための枠体３０（４５）が設けられており、
この枠体３０（４５）は、前記貯水槽２０（４１）側に突出するとともに、この枠体３０（４１）の長さ方向に沿って長尺に形成された突出部３４（４７）を備えており、
この突出部３４（４７）によって、前記流水面部（例えば延出片１２）の外側端部と、前記貯水槽２０（４１）の外側の槽壁２４（４３）との間に形成された前記隙間Ｓが覆われていることを特徴とする。
【００２１】
請求項６に記載の発明によれば、前記枠体３０（４５）によって、前記水槽部１１の外側面および貯水槽２０（４１）が目隠しされているので、前記水槽部１１内の動植物（例えば、水生植物１）の生息空間や緑化マット３に植栽される植物２だけを露出させることができ、ビオトープ装置の外観性を向上できる。また、このようなビオトープ装置が設置される場所の景観性を向上させることができる。
さらに、前記突出部３４（４７）によって、前記流水面部（例えば延出片１２）の外側端部と、前記貯水槽２０（４１）の外側の槽壁２４（４３）との間に形成された前記隙間Ｓを覆うことができるので、前記流水面部（例えば延出片１２）と共に、前記貯水槽２０（４１）の上部開口を目隠しすることができる。また、前記流水面部と突出部３４（４７）とで、前記貯水槽２０（４１）の上部開口を覆うことができるので、前記隙間Ｓを細くできるので、例えば比較的大きなゴミや落ち葉等が貯水槽２０（４１）に入り込むことを防ぐことができる。
【発明の効果】
【００２２】
本発明によれば、本体水槽トレイの水槽部に動植物の生息空間を形成できるので、水槽部を、池や川等のような貯水環境として利用できる。したがって、ビオトープの小型化を実現できることになる。
また、本体水槽トレイと貯水槽とが別体に構成されているので、貯水槽で、水槽部に供給する水道水のカルキ抜きや、貯留した水の水質の調整等を行うことができる。さらに、水循環手段によって、本体水槽トレイと貯水槽との間で水を循環させるので、例えば水槽部にアオコやアオミドロ等の藻が繁殖したり、淀みが生じたりすることを抑制できる。したがって、例えば水循環手段等を持たないビオトープ装置に比して、メンテナンスに係る手間やコストを確実に低減させることができる。
また、水循環手段による水の循環は、ポンプによって貯水槽から水槽部へと水を供給し、水槽部からのオーバーフロー水を貯水槽へと返還することによって行われるので、ポンプによって水槽部に水を供給するだけで、水槽部と貯水槽との間で容易に水を循環させることができる。
これによって、ビオトープ装置を、建物に容易に導入することができるので、このビオトープ装置が設置される建物の緑化が可能となり、ヒートアイランド現象の緩和や都市環境の改善、ＣＯ２排出量の削減等に貢献できる。
【図面の簡単な説明】
【００２３】
【図１】本発明に係るビオトープ装置の第１の実施の形態を示す斜視図である。
【図２】本体水槽トレイの一例を示す斜視図である。
【図３】貯水槽の一例を示す斜視図である。
【図４】枠体の一例を示す斜視図である。
【図５】図１に示すビオトープ装置の植栽前の状態を示す斜視図である。
【図６】貯水槽付近の構成を示す断面図である。
【図７】本発明に係るビオトープ装置の平面形状の他の例を示す図である。
【図８】本発明に係るビオトープ装置の第２の実施の形態であり、貯水槽付近の構成を示す断面図である。
【図９】本発明に係るビオトープ装置の第３の実施の形態であり、貯水槽付近の構成を示す断面図である。
【図１０】本発明に係るビオトープ装置の第４の実施の形態を示す断面図である。
【図１１】本発明に係るビオトープ装置の第５の実施の形態を示す断面図である。
【図１２】本発明に係るビオトープ装置の第６の実施の形態を示す断面図である。
【図１３】図１２に示すビオトープ装置の側断面図である。
【発明を実施するための形態】
【００２４】
以下、図面を参照して本発明の実施の形態について説明する。
なお、ビオトープとは、野生生物が持続して生息できる生態系を確立した、まとまりのある環境空間を意味する。したがって、湿地や池等の環境の復元または創造だけに限られず、従来、例えば崖や砂丘等の復元または創造を目的としたビオトープの創出も行われているが、特に都市緑化においては前述のような湿地や池等のビオトープを採用することが望ましい。以下の実施の形態においては、湿地や池、川、水辺空間等の環境の創造を目的としたビオトープ装置について詳細に説明する。
【００２５】
＜第１の実施の形態＞
図１は本発明に係るビオトープ装置の一例を示す斜視図である。
図１において符号１は水生植物を指しており、符号２は陸生植物を指している。
水生植物１としては、例えばアゼスゲ、ミソハギ、ハンゲショウ、イグサ、ハナショウブ、セキショウ等、様々なものを挙げることができ、植栽可能であれば、いずれの植物を選択しても良い。
陸生植物２としては、本実施の形態においては芝が採用されるが、その他にも例えば玉竜等、様々な植物を挙げることができる。すなわち、例えば、コケ植物やシダ植物を植栽しても良い。
【００２６】
また、本実施の形態の水生植物１は、その根１ａが、後述する水槽部１１に投入される多数の砂利５…に絡みつくようにして植栽される。
また、陸生植物２である芝は、マット状に裁断された芝自体を緑化マット３として用いることができる。また、これとは異なり、植物の繊維やネット等によって緑化マット３を構成し、この緑化マット３に対して、植物２の根２ａを絡ませて一体化するようにして植栽するものもある。緑化マット３は可撓性を有し、様々な場所に敷設できる。
【００２７】
図１に示すビオトープ装置は、本体水槽トレイ１０と、貯水槽２０と、前記緑化マット３と、水循環手段とを備えて構成されている。
なお、本実施の形態のビオトープ装置は、池や川等のような貯水環境と、水辺・陸地環境とを創出し、動植物の生息空間を形成するものであり、上述のような植物１，２や小魚を生息させるだけでなく、このビオトープ装置が設置される建物周囲の自然環境中からも鳥や昆虫等の生物を呼び込むことができる。例えば水辺の少ない都市部においては、新たな水辺空間を生み出すことができ、生物多様性に貢献することができる。
また、本実施の形態のビオトープ装置は、住宅等の建物の屋上や庭、ベランダ、バルコニー等に設置されるが、その他にも、様々な種類の建物の、様々な場所に設置することができる。
【００２８】
前記本体水槽トレイ１０は、図２，図５，図６に示すように、上部が開口し、断面略凹型に形成された水槽部１１と、この水槽部１１の周縁部から貯水槽２０側に延出する延出片１２と、を有する。
この本体水槽トレイ１０は、平面視矩形状に形成されており、ポリプロピレン等の合成樹脂で構成され、前記水槽部１１と延出片１２は一体形成されている。
なお、本体水槽トレイ１０は、トレイであるため、平らな盆状に形成されており、底部に対して周縁部が立ち上がった状態となっている。
また、本実施の形態の本体水槽トレイ１０のサイズは、奥行き（短辺）が８００ｍｍ、幅（長辺）が１０００ｍｍ、深さが１００ｍｍに設定されている。サイズは、これに限られるものではなく、適宜大きくしても良いし、小さくしても良い。
【００２９】
前記水槽部１１は、水が貯留される部分を指しており、本体水槽トレイ１０の底部と、この底部の周縁部から立ち上がった部分とで構成されている。また、水を貯留するため水密性を有している。この水槽部１１には、前記植物１が植栽されるとともに、メダカ等の小魚が入れられる。
また、この水槽部１１は、水槽部１１内部から外部に向かって突出するように形成される複数の補強リブ１１ａ…を備えている。さらに、これら複数の補強リブ１１ａは、本体水槽トレイ１０の周方向に間隔をあけて配置されている。
【００３０】
複数の補強リブ１１ａ…は、水槽部１１の底部から延出片１２にかけて延在し、内部は空洞状に形成されている。水槽部１１は、これら複数の補強リブ１１ａを備えているので剛性が高く、多くの水を貯留しても変形しにくい。
また、この水槽部１１には、図１および図６に示すように、底部に多数の砂利５…が敷き詰められ、これら多数の砂利５…に対して根１ａが絡みつくように、前記植物１が植栽される。また、このように水槽部１１内に多数の砂利５…を敷き詰めることによって生物濾過バクテリアを繁殖させることもできる。
【００３１】
前記延出片１２は、前記水槽部１１に対して鍔状に張り出すように形成されている。なお、本実施の形態の延出片１２は、図６に示すように、前記水槽部１１の周縁部から延出方向先端に向かうにつれて貯水槽２０に向かって下方に傾斜しているが、本体水槽トレイ１０および貯水槽２０の設置面に対しては略水平方向に張り出した状態となっている。すなわち、極端に上方や下方に傾斜しているものではなく、あくまでも横方向に鍔のように入り出した状態となっている。
また、延出片１２には、前記水槽部１１の周縁部から、この延出片１２の延出方向側端部に向かって延在する凹溝状の流水部１２ａが、この延出片１２の周方向に間隔をあけて複数形成されている。上述のように延出片１２は貯水槽２０に向かって傾斜しているので、水槽部１１から溢れ出た水が、これら流水部１２ａ…に沿って流れるように設定されている。つまり、これら流水部１２ａ…によって、前記水槽部１１からのオーバーフロー水を誘導できるようになっている。
【００３２】
隣り合う流水部１２ａ…間は、上面が、これら流水部１２ａ…よりも高い位置に設けられる畦部１２ｂとされている。すなわち、延出片１２の周方向に間隔をあけて複数の畦部１２ｂ…が形成されている。
【００３３】
さらに、これら畦部１２ｂ…には、該畦部１２ｂを厚さ方向に貫通する孔部１２ｃが、それぞれ形成されている。これら孔部１２ｃ…は水抜きとして利用したり、本体水槽トレイ１０を運ぶ際に持ち運び用の治具を引っ掛けたりして使用できる。
【００３４】
さらに、延出片１２の四つの角部のうち、対角に位置する二つの角部には、これら角部を切り欠いてなる切欠部１２ｄ，１２ｄが形成されている。これら切欠部１２ｄ，１２ｄは、本体水槽トレイ１０を前記貯水槽２０内に設置する際や、前記貯水槽２０に対する位置調整を行う際などに、作業者の指を引っ掛ける指掛かりとして利用できる。
【００３５】
前記貯水槽２０は、前記本体水槽トレイ１０と同じくポリプロピレン等の合成樹脂で構成されており、図１〜図３，図５，図６に示すように、前記本体水槽トレイ１０の外周に沿って配置されるとともに、上部が開口し、断面略凹型に形成されている。
この貯水槽２０は、四つの直線部２１…と、四つのコーナー部２２…とを組み立てて、平面視ロ字状の水路のように形成されており、前記本体水槽トレイ１０のうち特に水槽部１１を囲むようにして配置されている。すなわち、前記水槽部１１は、この貯水槽２０の内側に配置されている。
【００３６】
また、この貯水槽２０は、互いに対向する前記本体水槽トレイ１０側の槽壁２３および外側の槽壁２４と、これら槽壁２３，２４の下端部に一体形成される底壁２５とによって、上部が開口した凹溝状に形成されている。
なお、外側の槽壁２４の上端部には、断面略Ｌ型に形成された立ち上がり部２４ａが一体形成されており、貯水槽２０から外側への溢水を防いでいる。
また、前記直線部２１…とコーナー部２２…との接合部分には、水の漏出を防ぐためにシーリング材が施されている。
【００３７】
そして、この貯水槽２０の内側の本体水槽トレイ１０側の槽壁２３の上端部と、前記本体水槽トレイ１０の水槽部１１の縁部とに跨って、前記緑化マット３が載置されている。これによって、前記本体水槽トレイ１０の水槽部１１の縁部と、前記貯水槽２０の本体水槽トレイ側槽壁２３の上端部とに跨った位置に植物２を植栽できるので、この緑化マット３自体をビオトープ装置における水辺・陸地環境として利用できる。
ここで、上述のように前記延出片１２が、前記水槽部１１の周縁部から貯水槽２０側に延出しているため、本実施の形態において緑化マット３は、この延出片１２の上面に載置された状態となっている。これによって、この延出片１２によって前記緑化マット３を確実に支持できる。
【００３８】
さらに、前記貯水槽２０は、図６に示すように、前記延出片１２の下方に配置されており、この貯水槽２０の上部開口のうち、前記本体水槽トレイ１０側の一部が前記延出片１２によって覆われている。したがって、前記延出片１２の延出方向側端部と、前記貯水槽２０の外側の槽壁２４の上端部との間には、前記貯水槽２０の上部開口と連続する隙間Ｓが形成されており、貯水槽２０の上部開口が、この隙間Ｓから上方に開放された状態となる。
このように延出片１２によって、前記貯水槽２０の上部開口のうち、前記本体水槽トレイ１０側の一部が覆われているので、前記緑化マット３に植栽された植物２によって、前記貯水槽２０の上部開口のうち、前記本体水槽トレイ１０側の一部を目隠しすることができる。
また、前記延出片１２の下方に貯水槽２０が配置されているので、前記緑化マット３に植栽された植物２の根２ａが、前記貯水槽２０に貯留された水に届きやすい。特に、前記延出片１２の延出方向側端部と、前記貯水槽４１の外側の槽壁４２との間に形成された隙間Ｓを通じて、前記緑化マット３に植栽された植物２の根２ａを、前記貯水槽４１の上部開口に向かって確実に伸長させることができる。このため、植物２への水やり等の手間を省略して、植物２の栽培を手間なく行うことができる。
【００３９】
前記水循環手段は、前記本体水槽トレイ１０と貯水槽２０との間で水を循環させるものであり、図２，図５，図６に示すように、ポンプ４と、流水面部と、を有する。
さらに、この水循環手段による水の循環を行うために、前記水槽部１１の水位を、前記貯水槽２０の水位よりも高く設定している。なお、これら水槽部１１および貯水槽２０の水位の監視は、人の目による目視や、水位センサー等によって行われるものとする。
なお、水位センサーは、少なくとも前記水槽部１１に設けるようにして、水槽部１１の水位が下がらないようにする。つまり、水槽部１１の水位が下がることによって、ビオトープ装置に形成される動植物の生息空間が破壊されないようにすることが重要となる。
【００４０】
ポンプ４は、前記貯水槽２０から水槽部１１に水を供給するものであり、前記貯水槽２０内に設置されている。
また、このポンプ４は、このポンプ４から供給される水を前記水槽部１１に吐出する吐出部４ａと、ホースを介して接続されている。
【００４１】
前記ポンプ４はコンセントから電力を取って稼働させている。
この時、例えば系統電力を使用せずに太陽光発電装置等によって自家発電した電力を使用すればＣＯ２排出量を削減できるので好ましい。
【００４２】
前記吐出部４ａは、前記延出片１２の上面に、先端部が前記水槽部１１側に向けられるようにして設けられている。前記ポンプ４と吐出部４ａとを接続するホースは前記孔部１２ｃに挿通されている。
なお、この吐出部４ａは、前記延出片１２の上面に設けられるものとしたが、前記水槽部１１の底部付近に配置してもよいものとする。これによって、水槽部１１の底部付近の水も循環させやすくなるので、淀みが生じにくくなる。ただし、本実施の形態の本体水槽トレイ１０は水深が浅いため、吐出部４ａを延出片１２の上面に設けても、水槽部１１の底部付近の水を確実に循環できることは言うまでもない。
また、この吐出部４ａは、図１に示すように、多数の砂利５…が上から載せられて目隠しされている。これによって、砂利５と砂利５との間から水が湧くように見せることができる。また、このように砂利５が敷設された部位を、ビオトープ装置における水辺の岩場環境として利用できるので、より変化に富んだ環境のビオトープ装置の小型化を実現することができる。
【００４３】
前記流水面部は、前記水槽部１１と貯水槽２０とに亘って形成されるとともに、水槽部１１からオーバーフロー水が流れる部分を指している。本実施の形態においては、前記延出片１２を流水面部として使うことができる。この延出片１２は、前記水槽部１１から溢出した水が、その上面を、前記貯水槽２０に向かって流れるように構成されている。すなわち、上述したように、この延出片１２の上面には複数の流水部１２ａ…が形成されており、前記水槽部１１から溢出した水は、これら流水部１２ａ…を通じて前記貯水槽２０へと流れ込むように構成されている。
また、上述のように、前記貯水槽２０の上部開口のうち、前記本体水槽トレイ１０側の一部が前記延出片１２によって覆われているため、この貯水槽２０の上部開口の一部は、流水面部によって覆われることになる。したがって、前記貯水槽２０の上部開口を目隠しするだけでなく、流水面部を流れるオーバーフロー水を、前記隙間Ｓを通じて、前記貯水槽２０へと確実に返還することが可能となる。
なお、前記延出片１２の上面には複数の流水部１２ａ…が形成され、これによって、オーバーフロー水を流せるとしたが、たとえ前記延出片１２の上面が平滑な面であったとしても、この延出片１２の上面を通じてオーバーフロー水を流すことができる。
【００４４】
このような水循環手段によれば、前記ポンプ４によって貯水槽２０から水槽部１１に水を供給でき、前記水槽部１１から溢出した水を、前記延出片１２の上面を介して、前記貯水槽２０に戻すことができるので、前記水槽部１１内の水を確実に循環させることができる。
さらに、前記水槽部１１から溢水した水を前記延出片１２の上面に伝わせるので、この溢水は、前記延出片１２の上面に載置された緑化マット３を通過することになる。これによって、この緑化マット３や植物２の根２ａをフィルターとしても利用できるので、メンテナンスに係る手間を低減できる。
【００４５】
また、前記ポンプ４にはフィルター材が内蔵されており、このポンプ４によって水槽部１１へと送られる水は、このフィルター材によって濾過されることになる。すなわち、前記貯水槽２０から水槽部１１に供給される水も、前記水槽部１１から貯水槽２０に戻る水も濾過されることになるので、例えば水槽部１１内の富栄養化を抑制し、水質を良好に保持できる。
【００４６】
本実施の形態においては、前記貯水槽２０の給水源として通常の水道水が利用されている。前記貯水槽２０に水道水を入れる場合、一定期間放置しておけばカルキが抜けるので、カルキ抜きが完了した状態の水を循環させるようにする。
また、前記水槽部１１内の水が蒸発して少なくなってきたら、前記貯水槽２０に水を足し、まずはカルキ抜きをする。上述のように一定期間放置すればカルキ抜きが完了するので、この水を前記水槽部１１へと供給する。
なお、カルキ抜きは市販の薬剤を用いても良いが、前記水槽部１１で魚等の生物が生息している場合には、水槽部１１に直接、水道水を入れないようにし、まずは貯水槽２０に水道水を入れ、カルキ抜きを行うようにする。貯水槽２０には水道水が入れられるので、貯水槽２０には魚は入れないようにする。
また、本実施の形態では通常の水道水を給水源としたが、これに限られるものではなく、例えば井戸水や湧き水、雨水、雪解け水等、適宜変更可能である。
【００４７】
前記本体水槽トレイ１０および貯水槽２０の外周には、図４〜図６に示すように、目隠し用の枠体３０が設けられている。この枠体３０によって、前記水槽部１１の外側面および貯水槽２０が目隠しされている。
この枠体３０は、前記貯水槽２０の外側の槽壁２４の、さらに外側に設けられるとともに、前記貯水槽２０と、この貯水槽２０によって囲まれる水槽部１１とを囲む側壁部３１と、この側壁部３１の上端部から前記貯水槽２０側に突出するとともに、この枠体３０の長さ方向に沿って長尺に形成された突出部３４と、を備えている。
【００４８】
前記側壁部３１は、四枚の側壁材３１ａ…を矩形枠状に組み立てることによって構成されている。
また、側壁部３１の四つの入隅コーナー部にはコーナー支持金物３２がそれぞれ取り付けられている。
また、隣り合うコーナー支持金物３２，３２間の中央付近には支持金物３３がそれぞれ取り付けられている。
前記突出部３４は、これらコーナー支持金物３２…および支持金物３３…の上面に載置されている。
【００４９】
この突出部３４は、図１および図６に示すように、前記貯水槽２０の上部開口の上方に水平に配置されており、前記隙間Ｓを覆っている。この突出部３４の本体水槽トレイ１０側の端部は、前記延出片１２の延出方向側端部付近に配置されており、延出片１２で覆っていない部分を、この突出部３４で覆っていることになる。すなわち、この突出部３４と前記延出片１２によって前記貯水槽２０の上部開口のほとんどが覆われた状態となる。
これによって、前記水槽部１１の外側面および貯水槽２０が目隠しされているので、前記水槽部１１内の動植物の生息空間や緑化マット３に植栽された植物２だけを露出させることができ、ビオトープ装置の外観性を向上できる。また、このようなビオトープ装置が設置される場所の景観性を向上させることができる。
さらに、前記突出部３４と前記延出片１２によって前記貯水槽２０の上部開口のほとんどを覆うことができるので、前記隙間Ｓを細くすることができ、例えば比較的大きなゴミや落ち葉等が貯水槽２０（４１）に入り込むことを防ぐことができる。
なお、この突出部３４としては、例えば矩形板状に形成された吸水性がない樹脂製品や、木粉と樹脂とを混錬し押出成形した製品等を使用することができる。
【００５０】
なお、本実施の形態の本体水槽トレイ１０は平面視矩形状に形成されるものとしたが、これに限られるものではなく、例えば平面視円形状や多角形状を始め様々な形状のものでも良い。
また、本実施の形態の貯水槽２０は平面視略ロ字状に形成されるものとしたが、これに限られるものではなく、図７に示すように、前記本体水槽トレイ１０の外周に沿って配置されていればよい。
図７（ａ）においては、前記本体水槽トレイ１０の一方の長辺部の外周に沿って直線状の貯水槽２０が配置された状態を示している。
図７（ｂ）においては、前記本体水槽トレイ１０の一方の短辺部の外周に沿って直線状の貯水槽２０が配置された状態を示している。
図７（ｃ）においては、前記本体水槽トレイ１０の一方の長辺部および一方の短辺部の外周に沿って平面視Ｌ型の貯水槽２０が配置された状態を示している。
図７（ｄ）においては、前記本体水槽トレイ１０の一方の長辺部および両方の短辺部の外周に沿って平面視コ字型の貯水槽２０が配置された状態を示している。
図７（ｅ）においては、前記本体水槽トレイ１０の両方の長辺部および一方の短辺部の外周に沿って平面視コ字型の貯水槽２０が配置された状態を示している。
また、貯水槽２０は、前記本体水槽トレイ１０が平面視矩形状でない場合には、この本体水槽トレイ１０の形状に対応する平面形状とする。同じく枠体３０も本体水槽トレイ１０の形状に対応する平面形状とする。
ただし、貯水槽２０は、前記本体水槽トレイ１０の全周にわたって設けられる必要はなく、少なくとも一部の外周に沿って配置されていれば良いものとする。
一方、枠体３０は、本体水槽トレイ１０および貯水槽２０の外周に、これら本体水槽トレイ１０および貯水槽２０を目隠しできるように設けられるようにする。すなわち、枠体３０は、本体水槽トレイ１０と貯水槽２０とを並べて設置した際の外周よりも外側に配置できるような大きさに設定されている。
【００５１】
なお、本実施の形態のビオトープ装置は、前記本体水槽トレイ１０や貯水槽２０、枠体３０を任意の設置場所にそのまま直に置くようにして設置されているが、これに限られるものではなく、設置場所に、まずビオトープ装置の支持台（図示せず）を設置してから、この支持台の上面にビオトープ装置を設置するようにしても良い。
すなわち、このような支持台によって、ビオトープ装置の高さ位置を、居住者の要望や周囲の景観に合わせて変更できる。
【００５２】
また、本実施の形態では、前記延出片１２の上面に、前記緑化マット３や砂利５を設けたが、これに限られるものではない。例えば、保水性能を有する保水タイル（図示せず）を取り付けても良いものとする。
このような保水タイルとして様々な色や形状の物を採用することで、例えばビオトープ装置が設置される建物の屋上や庭、ベランダ、バルコニー等の景観に合わせて色を選択したり、形状を選択したりして、洗練された印象の外観を備えたビオトープ装置にすることができる。また、このような洗練された印象の外観を備えたビオトープ装置を建物に導入できるので、ビオトープ装置の周囲の景観性を向上でき、好ましい。
なお、この保水タイルは、例えばセラミックタイル等のような多孔質体であり、この多数の孔内に水を保持できる。また、これら多数の孔に植物の根を絡ませたり、苔等の植物を生やしたりすることで、この保水タイルの上部に植物を植栽することができる。
さらに、周囲の温度が高い時には、例えば打ち水のように、保水タイルに保水された水の気化熱や、保水タイル自体の輻射熱により、周囲の温度を低下させることができ、いわゆる打ち水効果を得ることができる。
【００５３】
次に、以上のような構成のビオトープ装置を設置する方法について説明する。
まず、例えば建物の屋上や庭、ベランダ、バルコニー等の所望の場所に、図３に示すように貯水槽２０を組み立てて設置する。
続いて、この貯水槽２０の外周に、図４に示すように組み立てた枠体３０の側壁部３１を設置する。
続いて、図２に示すように、本体水槽トレイ１０にポンプ４に装着する。そして、図５に示すように、本体水槽トレイ１０を、前記貯水槽２０の内側に設置する。なお、ポンプ４の装着は、本体水槽トレイ１０を貯水槽２０の内側に設置した後でも良い。
続いて、貯水槽２０に水を入れてカルキ抜きを行う。
続いて、前記延出片１２の上面に、前記植物２が植栽された緑化マット３を載置する。
その後、前記水槽部１１に多数の砂利５…を投入し、底部に敷き詰めるとともに、植物１を植栽する。この時、水槽部１１にも水を入れる。
そして、水槽部１１内の水の濁りが収まり、カルキ抜きが完了した後に、魚を放流し、前記突出部３４を、前記コーナー支持金物３２…および支持金物３３…の上面に載置する。
以上のようにして、建物の屋上や庭、ベランダ、バルコニー等の所望の場所に、ビオトープ装置を設置することができる。
【００５４】
本実施の形態によれば、前記本体水槽トレイ１０の水槽部１１に前記植物１や魚等の動植物の生息空間を形成できるとともに、前記緑化マット３に前記植物２を植栽できるので、前記水槽部１１を、池や川等のような貯水環境として利用でき、前記緑化マット３を、水辺・陸地環境として利用できる。したがって、ビオトープの小型化を実現できることになる。
また、前記本体水槽トレイ１０と貯水槽２０とが別体に構成されているので、貯水槽２０で、前記水槽部１１に供給する水道水のカルキ抜きや、貯留した水の水質の調整等を行うことができる。さらに、前記水循環手段によって、前記本体水槽トレイ１０と貯水槽２０との間で水を循環させるので、例えば前記水槽部１１にアオコやアオミドロ等の藻が繁殖したり、淀みが生じたりすることを抑制できる。したがって、例えば水循環手段等を持たないビオトープ装置に比して、メンテナンスに係る手間やコストを確実に低減させることができる。
また、水循環手段による水の循環は、前記ポンプ４によって前記貯水槽２０から前記水槽部１１へと水を供給し、前記水槽部１１からのオーバーフロー水を前記貯水槽２０へと返還することによって行われるので、前記ポンプ４によって前記水槽部１１に水を供給するだけで、前記水槽部１１と貯水槽２０との間で容易に水を循環させることができる。
これによって、ビオトープ装置を、建物に容易に導入することができるので、このビオトープ装置が設置される建物の緑化が可能となり、ヒートアイランド現象の緩和や都市環境の改善、ＣＯ２排出量の削減等に貢献できる。
【００５５】
＜第２の実施の形態＞
次に、図面を参照して本発明の第２の実施の形態について説明する。なお、説明の便宜上、上述した第１の実施の形態とは異なる構成部分のみについて説明する。
【００５６】
図８において符号４１は貯水槽を示している。この貯水槽４１は、本体水槽トレイ１０に対して接近した状態で配置されている。
この貯水槽４１は、互いに対向する前記本体水槽トレイ１０側（内側）の槽壁４２および外側の槽壁４３と、これら槽壁４２，４３の下端部に一体形成される底壁４４とによって、上部が開口した凹溝状に形成されている。
【００５７】
外側の槽壁４３は、内側の槽壁４２よりも上下方向に長く、高さのある状態に設定されており、貯水槽４１から外側への溢水を防いでいる。
また、内側の槽壁４２は、外側の槽壁４３よりも低いため、前記本体水槽トレイ１０の延出片１２の下方に潜り込ませやすくなっている。
【００５８】
さらに、前記本体水槽トレイ１０の水槽部１１は、水槽部１１内部から外部に向かって突出するように形成される複数の補強リブ４０…を備えている。さらに、これら複数の補強リブ４０…は、本体水槽トレイ１０の周方向に間隔をあけて配置されている。
これら複数の補強リブ４０は、外部に向かって突出する寸法が極力小さくなるように設定されている。本実施の形態においては側面視略への字状に形成されており、への字に形成された入隅部に、前記内側の槽壁４２が位置するようにして貯水槽４１が配置されている。
また、本実施の形態においても、前記水槽部１１の水位は、前記貯水槽４１の水位よりも高くなるように設定されている。
【００５９】
また、上述のように貯水槽４１は、本体水槽トレイ１０に対して接近した状態で配置されるため、本体水槽トレイ１０の延出片１２の延出方向側端部と、前記貯水槽４１の外側の槽壁４３の上端部との間には、前記貯水槽４１の上部開口と連続する間隔の細い隙間Ｓ（スリット）が形成されている。
そして、この隙間Ｓを通じて、前記緑化マット３に植栽された植物２の根２ａを、前記貯水槽４１の上部開口に向かって確実に伸長させることができるので、植物２への水やり等の手間を省略して、植物２の栽培を手間なく行うことができる。
また、このように前記延出片１２の延出方向側端部と、前記貯水槽４１の外側の槽壁４３の上端部との間の間隔を細くするほど、前記貯水槽４１の上部開口をより確実に、かつ広範囲に目隠しすることができる。
【００６０】
また、前記本体水槽トレイ１０および貯水槽４１の外周には目隠し用の枠体４５が設けられており、この枠体４５によって、前記水槽部１１の外側面および貯水槽４１が目隠しされている。
この枠体４５は、前記貯水槽４１の外側の槽壁４３の、さらに外側に設けられるとともに、前記貯水槽４１と、この貯水槽４１によって囲まれる水槽部１１とを囲む側壁部４６と、この側壁部４６の上端部から前記貯水槽４１側に突出する突出部４７を備えている。
【００６１】
突出部４７は、前記側壁部４６の長さ方向、すなわち前記隙間Ｓの長さ方向に沿って長尺に形成されており、この隙間Ｓの上方に配置されることになる。したがって、前記隙間Ｓは、この突出部４７によって覆われており、前記延出片１２とともに前記貯水槽４１の上部開口のほとんどを覆うことができる。すなわち、この突出部４７によって隙間Ｓを隠すことができる。
なお、前記側壁部４６と突出部４７とは一体形成されており、断面視略逆Ｌ字型に形成されている。
【００６２】
本実施の形態によれば、第１の実施の形態と同じ効果を得ることができるとともに、前記貯水槽４１は、前記本体水槽トレイ１０に対して接近した状態で配置されることによって、前記水槽部１１の貯水量を、補強リブ４０の分を除いて略変更せずに、ビオトープ装置をコンパクト化することが可能となる。すなわち、ビオトープ装置自体の外周寸法が狭まることになる。
また、枠体４５の突出部４７の突出寸法は、前記隙間Ｓを覆う程度に設定されているので、本体水槽トレイ１０側に大きく突出させる場合よりも、見た目上、ビオトープ装置自体の外周寸法が狭まり、かつビオトープ装置がコンパクト化したような印象を与えることができる。
【００６３】
＜第３の実施の形態＞
次に、図面を参照して本発明の第３の実施の形態について説明する。なお、説明の便宜上、上述した第１および第２の実施の形態とは異なる構成部分のみについて説明する。
【００６４】
図９において符号５０は本体水槽トレイを示し、符号５４は貯水槽を示している。
本体水槽トレイ５０は、上部が開口し、断面略凹型に形成された水槽部５１と、この水槽部５１の周縁部から貯水槽５４側に延出する延出片５２を有する。
また、貯水槽５４は、本体水槽トレイ５０の外周に沿って配置されるとともに、上部が開口し、断面略凹型に形成されている。さらに、この貯水槽５４は互いに対向する内側の槽壁５５および外側の槽壁５６と、これら槽壁５５，５６の下端部に一体形成される底壁５７とによって凹溝状に形成されている。
また、本実施の形態においても、前記水槽部５１の水位は、前記貯水槽５４の水位よりも高くなるように設定されている。
【００６５】
なお、本実施の形態においては、前記延出片５２を流水面部として使うことができる。この延出片５２には、この延出片５２を厚さ方向に貫通する複数の貫通孔５３…が形成されている。すなわち、前記水槽部５１から溢水した水は、前記水槽部５１と貯水槽５４とに亘って形成された延出片５２の上面を流れ、前記複数の貫通孔５３…を通じて、前記貯水槽５４へと確実に返還することができる。
本実施の形態においては、前記延出片５２のうち、前記貯水槽５４の上方に位置する部分をメッシュ状にすることによって複数の貫通孔５３…を形成している。
なお、これら複数の貫通孔５３…の形状は特に限定されるものではなく、例えば格子状でも良いし、スリット状でも良く、適宜変更可能である。
【００６６】
また、前記貯水槽５４は、前記延出片５２の下方に配置されており、この貯水槽５４の上部開口は前記延出片５２によって覆われている。すなわち、延出片５２の延出方向側端部と前記外側の槽壁５６との間に隙間が形成されない状態となっている。
さらに、延出片５２は、前記対向する槽壁５５，５６の上端部に載せられた状態となっており、これら対向する槽壁５５，５６によって支持されている。
なお、外側の槽壁５６の上端部には立ち上がり部５６ａが設けられており、貯水槽５４から外側への溢水を防いでいる。
【００６７】
さらに、前記延出片５２の下面には、保水性能および吸水性能を有する保水材６が設けられている。
この保水材６は例えばスポンジのように柔らかく多孔質状に形成されており、吸水および保水を行うとともに、植物２の根２ａを絡み付かせることができる。
このような保水材６を前記延出片５２の下面に設けることによって、前記延出片５２の上面に載置される緑化マット３との相性を良好なものとすることができる。
すなわち、緑化マット３に植栽された植物２の根２ａからの水分吸収を促進できる。さらに、前記延出片５２の上面に載置された緑化マット３と下面に設けられた保水材６とを、前記複数の貫通孔５３…を通過する植物２の根２ａで繋げることができる。つまり、前記緑化マット３と保水材６とで延出片５２を挟み込むことができるので、緑化マット３の位置ずれを防ぐことができる。
【００６８】
なお、本実施の形態において保水材６は、前記延出片５２の下面に設けられるものとしたが、これに限られるものではなく、前記延出片５２の上面に設けるようにしても良い。
このように保水材６を延出片５２の上面に設けたとしても、この保水材６に植物２の根２ａを絡み付かせ、根２ａからの水分吸収を促進できることに変わりはない。
【００６９】
なお、図示はしないが、前記本体水槽トレイ５０および貯水槽５４の外周に目隠し用の枠体を設けるようにする。
【００７０】
本実施の形態によれば、第１の実施の形態と同じ効果を得ることができるとともに、前記複数の貫通孔５３を通じて、前記緑化マット３に植栽された植物２の根２ａを、前記貯水槽５４の上部開口に向かって確実に伸長させることができる。これによって、前記緑化マット３に植栽された植物２の根２ａが、前記貯水槽５４に貯留された水に届きやすくなる。
【００７１】
＜第４の実施の形態＞
次に、図面を参照して本発明の第４の実施の形態について説明する。なお、説明の便宜上、上述した第１〜第３の実施の形態とは異なる構成部分のみについて説明する。
【００７２】
図１０において符号６０は本体水槽トレイを示し、符号７０は貯水槽を示している。
本体水槽トレイ６０は、上部が開口し、断面略凹型に形成された水槽部６１と、この水槽部６１の周縁部から外側に延出する延出片６２を有する。
また、貯水槽７０は、上部が開口し、断面略凹型に形成されている。さらに、この貯水槽７０は互いに対向する槽壁７１,７２と、これら槽壁７１，７２の下端部に一体形成される底壁７３とによって形成されている。
【００７３】
前記貯水槽７０の奥行き寸法および幅寸法は、前記本体水槽トレイ６０の奥行き寸法および幅寸法と略等しくなるように設定されている。さらに、深さは、前記水槽部６１の深さよりも深くなるように設定されている。
そして、前記本体水槽トレイ６０は、前記貯水槽７０内部に、前記延出片６２の延出方向側端部を、前記貯水槽７０の対向する槽壁７１，７２の上端面に載置するようにして入れられている。
すなわち、前記貯水槽７０は、前記本体水槽トレイ６０に対してサイズが大きくなるように構成されており、前記対向する槽壁７１，７２は、前記本体水槽トレイ５０の外周に沿って配置された状態となっている。
また、本実施の形態においても、前記水槽部６１の水位は、前記貯水槽７０の水位よりも高くなるように設定されている。
【００７４】
なお、本実施の形態においては、前記延出片６２を流水面部として使うことができる。この延出片６２には、この延出片６２を厚さ方向に貫通する複数の貫通孔６３…が形成されている。すなわち、前記水槽部６１から溢水した水は、前記水槽部６１と貯水槽７０の対向する槽壁７１，７２とに亘って形成された延出片６２の上面を流れ、前記複数の貫通孔６３…を通じて、前記貯水槽７０へと確実に返還することができる。
また、前記複数の貫通孔６３…には緑化マット３に植栽された植物２の根２ａが通過した状態となっている。
【００７５】
また、図示はしないが、前記本体水槽トレイ６０と貯水槽７０との間に、前記貯水槽７０内部に入れられた本体水槽トレイ６０が、この貯水槽７０に対して横方向にずれることを防止する位置決め手段を設けるようにしても良い。
このような位置決め手段としては、前記対向する槽壁７１，７２に設けられる立ち上がり部７１ａ，７２ａを設けることで対応できる。すなわち、本体水槽トレイ６０は、これら立ち上がり部７１ａ，７２ａに当たることにより横方向へのずれを防止できるようになっている。また、これら立ち上がり部７１ａ，７２ａによって貯水槽７０から外側への溢水を防ぐことができる。
【００７６】
本実施の形態によれば、第１の実施の形態と同じ効果を得ることができるとともに、前記貯水槽７０は、前記本体水槽トレイ６０に対してサイズが大きくなるように構成されているので、この貯水槽７０に比較的多くの水を貯留することができる。
すなわち、前記貯水槽７０の貯水量を多くすることができるので、前記水槽部１１に対して、より長期間にわたって水を供給できる。
【００７７】
＜第５の実施の形態＞
次に、図面を参照して本発明の第５の実施の形態について説明する。なお、説明の便宜上、上述した第１〜第４の実施の形態とは異なる構成部分のみについて説明する。
【００７８】
図１１において符号８０は本体水槽トレイを示し、符号９０は貯水槽を示している。
本体水槽トレイ８０は、上部が開口し、断面略凹型に形成された水槽部８１と、この水槽部８１の周縁部から貯水槽９０側に延出する延出片８２を有する。なお、水槽部８１の側壁には段部８１ａが形成されている。
また、貯水槽９０は、本体水槽トレイ８０の外周に沿って配置されるとともに、上部が開口し、断面略凹型に形成されている。さらに、この貯水槽９０は互いに対向する内側の槽壁９１および外側の槽壁９２と、これら槽壁９１，９２の下端部に一体形成される底壁９３とによって凹溝状に形成されている。
また、本実施の形態においても、前記水槽部８１の水位は、前記貯水槽９０の水位よりも高くなるように設定されている。
【００７９】
また、前記内側の槽壁９１の上端部には、本体水槽トレイ８０側に水平に延出する載置部９１ａと、この載置部９１ａの延出方向側端部から上方に突出する立ち上がり部９１ｂとが設けられている。前記外側の槽壁９２の上端部には、外側に水平に延出する載置部９２ａと、この載置部９２ａの延出方向側端部から上方に突出する立ち上がり部９２ｂとが設けられている。
また、前記載置部９１ａの上面と、前記載置部９２ａの上面とは略等しい高さ位置に配置されている。
本実施の形態においては、前記延出片８２の延出方向側端部と、前記内側の槽壁９１の立ち上がり部９１ｂの上端部とが一体形成されている。
【００８０】
そして、これら載置部９１ａの上面と載置部９２ａの上面には、これら載置部９１ａの上面と載置部９２ａの上面に跨って、前記貯水槽９０の上部開口を覆う蓋材１１０が載置されている。この蓋材１１０の厚みは、前記延出片８２と一体形成される立ち上がり部９１ｂの高さと略等しくなるように設定されることによって、この蓋材１１０の上面と前記延出片８２の上面とが略面一となるように設定されている。また、この蓋材１１０の上面には、植物２が植栽された緑化マット３が載置されている。
また、蓋材１１０には、この蓋材１１０を厚さ方向に貫通する複数の貫通孔１１１…が形成されており、前記植物２の根２ａを通過させることができる。
【００８１】
なお、本実施の形態においては、前記延出片８２と、上面が、この延出片８２の上面と略面一となるように設定された前記蓋材１１０の双方を、流水面部として使うことができる。すなわち、前記水槽部８１から溢水した水は、前記水槽部８１と貯水槽９０とに亘って形成された延出片８２および蓋材１１０の上面を流れ、前記複数の貫通孔１１１…を通じて、前記貯水槽９０へと確実に返還することができる。
【００８２】
本実施の形態によれば、第１の実施の形態と同じ効果を得ることができるとともに、前記本体水槽トレイ８０と貯水槽９０とを一体形成できることから、ビオトープ装置を、建物の任意の場所に設置する際に、これら本体水槽トレイ８０と貯水槽９０とを同時に設置できるので、施工性を向上させることができる。さらに、輸送時にも、これら本体水槽トレイ８０と貯水槽９０とを同時に輸送できる。これによって、ビオトープ装置を、建物に容易に導入することができる。
【００８３】
＜第６の実施の形態＞
次に、図面を参照して本発明の第６の実施の形態について説明する。なお、説明の便宜上、上述した第１〜第５の実施の形態とは異なる構成部分のみについて説明する。
【００８４】
図１２および図１３において符号１２０は本体水槽トレイを示し、符号１３０は貯水槽を示している。
本体水槽トレイ１２０は、上部が開口し、断面略凹型に形成された水槽部１２１と、この水槽部１２１の周縁部から貯水槽１３０側に延出する延出片１２２を有する。なお、水槽部１２１の側壁には段部１２１ａが形成されている。
また、貯水槽１３０は、本体水槽トレイ１２０の外周に沿って配置されるとともに、上部が開口し、断面略凹型に形成されている。さらに、この貯水槽１３０は互いに対向する内側の槽壁１３１および外側の槽壁１３２と、これら槽壁１３１，１３２の下端部に一体形成される底壁１３３とによって凹溝状に形成されている。
また、本実施の形態においても、前記水槽部１２１の水位は、前記貯水槽１３０の水位よりも高くなるように設定されている。
【００８５】
また、前記内側の槽壁１３１の上端部には、本体水槽トレイ１２０側に水平に延出する載置部１３１ａと、この載置部１３１ａの延出方向側端部から上方に突出する立ち上がり部１３１ｂとが設けられている。なお、この槽壁１３１の立ち上がり部１３１ｂの上端部と、前記延出片１２２の延出方向側端部とは一体形成されている。
前記外側の槽壁１３２は、前記内側の槽壁１３１よりも高くなるように設定されており、その上端部には、本体水槽トレイ１２０側に突出する突出部１３２ａと、この突出部１３２ａの突出方向側端部から垂下し、先端がフック状に形成された被係合部１３２ｂとが設けられている。
【００８６】
前記貯水槽１３０は、図１３に示すように、蓋材１５０の下方に配置されており、この貯水槽１３０の上部開口のうち、前記外側の槽壁１３２との間に形成された細い隙間Ｓを除く部分が前記蓋材１５０によって覆われている。
また、蓋材１５０は、この蓋材１５０を支持するための支持部材１４０によって支持されている。この支持部材１４０は、図１２に示すように、横幅（蓋材１５０の長さ方向に沿う長さ）が狭く形成されている。また、この支持部材１４０は、載置板部１４１と、吊り板部１４２と、係合部１４３とを備えている。
【００８７】
この載置板部１４１は、前記貯水槽１３０の上方に水平に配置されるとともに、上面に、前記蓋材１５０が載置される部分である。
また、吊り板部１４２は、前記載置板部１４１の外側端部から上方に延出しており、この吊り板部１４２の上端部に前記係合部１４３が設けられている。この係合部１４３は、先端がフック状に形成されており、前記外側の槽壁１３２の上端部に設けられた被係合部１３２ｂに係合する構成となっている。
【００８８】
このような構成の支持部材１４０は、前記載置板部１４１の内側槽壁１３１側端を、前記内側の槽壁１３１の載置部１３１ａに載置し、前記係合部１４３を前記外側槽壁１３２の被係合部１３２ｂに係合させることによって前記貯水槽１３０の上方に設置できる。また、支持部材１４０は、貯水槽１３０の長さ方向に沿って、かつ互いに間隔をあけて複数設けられている。
前記蓋材１５０は、この貯水槽１３０の長さ方向に沿って点在する複数の支持部材１４０…上に架け渡して載置するようにして、前記貯水槽１３０の上方に設置されている。
【００８９】
そして、蓋材１５０の厚みは、前記延出片１２２と一体形成される立ち上がり部１３１ｂの高さと略等しくなるように設定されている。これによって、この蓋材１５０の上面と前記延出片１２２の上面とが略面一となるように設定されている。また、この蓋材１５０の上面には、植物２が植栽された緑化マット３が載置されている。
【００９０】
なお、本実施の形態においては、前記延出片１２２と、上面が、この延出片１２２の上面と略面一となるように設定された前記蓋材１５０の双方を、流水面部として使うことができる。すなわち、前記水槽部１２１から溢水した水は、前記水槽部１２１と貯水槽１３０とに亘って形成された延出片１２２および蓋材１５０の上面を流れ、上述のような蓋材１５０の外側槽壁１３２側端部と、外側の槽壁１３２との間に形成された隙間Ｓを通じて、前記貯水槽１３０へと確実に返還することができる。
【００９１】
本実施の形態によれば、第１の実施の形態と同じ効果を得ることができるとともに、前記蓋材１５０によって、前記貯水槽１３０の上部開口のほとんどを覆うことができる。これによって、この貯水槽１３０の上部開口を蓋材１５０によって目隠しできるとともに、大きなゴミや落ち葉等が貯水槽１３０内に入り込むことを防げる。
前記支持部材１４０は、前記外側の槽壁１３２の上端部から本体水槽トレイ１２０側に突出する突出部１３２ａの下方に吊り下げられることになる。このため、支持部材１４０の吊り板部１４２は、前記外側の槽壁１３２よりも内側に配置され、この支持部材１４０によって支持される蓋材１５０は、吊り板部１４２よりも、さらに内側に配置されることになる。すなわち、この蓋材１５０と前記外側の槽壁１３２との間には前記隙間Ｓを確実に形成できることになる。これによって、上述のように、前記延出片１２２の上面と、前記蓋材１５０の上面とを流水面部として使っても、この隙間Ｓから水を前記貯水槽１３０へと確実に返還することが可能となっている。
【符号の説明】
【００９２】
１  水生植物
２  陸生植物
３  緑化マット
４  ポンプ
５  砂利
１０，５０，６０，８０，１２０  本体水槽トレイ
１１，５１，６１，８１，１２１  水槽部
１２，５２，６２，８２，１２２  延出片
２０，４１，５４，７０，９０，１３０  貯水槽
３０，４５  枠体
【図１】
0005893867.tif 000002
【図２】
0005893867.tif 000003
【図３】
0005893867.tif 000004
【図４】
0005893867.tif 000005
【図５】
0005893867.tif 000006
【図６】
0005893867.tif 000007
【図７】
0005893867.tif 000008
【図８】
0005893867.tif 000009
【図９】
0005893867.tif 000010
【図１０】
0005893867.tif 000011
【図１１】
0005893867.tif 000012
【図１２】
0005893867.tif 000013
【図１３】
0005893867.tif 000014